(57)【要約】【課題】  本発明の目的は、従来に無い新規な構成からなる画面表示装置を提供することにある。【解決手段】  本発明は、表示画面部材上に画像や文字等を表示する構成を備えた画面表示装置に関する。  この画面表示装置１は、表示画面部材１２の表示面側に磁性金属小体１５を移動自在に配置すると共に表示画面部材１２の裏側に複数の磁界形成ソレノイド２１を配設し、制御回路により磁界形成ソレノイド２１を順次作動させて表示画面部材１２上に磁界を形成し、これにより、表示画面部材１２上に磁性金属小体１５を吸着させて所定の画像・文字等を作り出す構成である。【選択図】  図２
2005227349.tif 000002
【特許請求の範囲】
【請求項１】
板厚方向に磁界を透過可能な表示画面部材と、
該表示画面部材の表示面側に移動自在に配設された複数の磁性金属小体と、
前記表示画面部材の表示面と反対側に配設され、該表示画面部材の表示面に前記複数の磁性金属小体を吸着させるための磁界を形成する第一の状態と前記表示画面部材の表示面から磁界を消滅させる第二の状態とに切り替え可能な複数の磁界形成手段と、
該複数の磁界形成手段を前記第一の状態と前記第二の状態とに順次切り替える制御手段と、を備えたことを特徴とする画面表示装置。
【請求項２】
前記表示画面部材の表示面は、内部に空間部を有する中空体内に形成され、
前記複数の磁性金属小体は、前記空間部に移動自在に配設されたことを特徴とする請求項１に記載の画面表示装置。
【請求項３】
前記空間部には、該空間部を複数の縦長状空間部に区分けする仕切り壁が形成されたことを特徴とする請求項２に記載の画面表示装置。
【請求項４】
前記複数の磁性金属小体は、前記複数の縦長状空間部のそれぞれに均等に配設されたことを特徴とする請求項３に記載の画面表示装置。
【請求項５】
前記空間部には、粘性流体が封入されたことを特徴とする請求項２乃至請求項４のいずれか一項に記載の画面表示装置。
【請求項６】
前記複数の磁性金属小体のそれぞれは、砂鉄からなることを特徴とする請求項１乃至請求項５のいずれか一項に記載の画面表示装置。
【請求項７】
前記複数の磁性金属小体を前記表示画面部材の一方側から他方側へ移動させる循環機構をさらに備えたことを特徴とする請求項１乃至請求項６のいずれか一項に記載の画面表示装置。
【請求項８】
前記複数の磁界形成手段のそれぞれは、前記表示画面部材と直交する方向に延設された支持ピンと、該支持ピンに進退動自在に支持された電磁石と、前記支持ピンの前記表示画面部材と反対側に配設され前記電磁石に対して吸引反発する磁界を形成するスライド用マグネットと、前記スライダにおける表示画面部材側の端部に配設された画面表示用マグネットと、を備えてなることを特徴とする請求項１乃至請求項７のいずれか一項に記載の画面表示装置。
【請求項９】
前記複数の磁界形成手段のそれぞれは、前記表示画面部材の表示面と反対側に配設された電磁石からなることを特徴とする請求項１乃至請求項７のいずれか一項に記載の画面表示装置。
【請求項１０】
前記制御手段は、外部制御装置から出力された画像生成情報を記憶する記憶部と、当該記憶部に記憶された画像生成情報に基づいて前記複数の磁界形成手段を制御する制御部と、を備えたことを特徴とする請求項１乃至請求項９のいずれか一項に記載の画面表示装置。
【請求項１１】
スピーカ若しくは電飾部材をさらに備え、
前記制御手段は、前記複数の磁界形成手段の動作に合わせて前記スピーカ若しくは前記電飾部材を制御することを特徴とする請求項１乃至請求項１０のいずれか一項に記載の画面表示装置。
【発明の詳細な説明】
【技術分野】
【０００１】
本発明は、画面表示装置に係り、特に、表示画面上に画像や文字等を表示する構成を備えた画面表示装置に関する。
【背景技術】
【０００２】
従来から、表示画面上に画像や文字等を表示する画面表示装置として、液晶表示装置が知られている（例えば、非特許文献１参照）。
【０００３】
【非特許文献１】鈴木八十二著，「トコトンやさしい液晶の本」，日刊工業新聞社，２００２年２月２８日，ｐ．２０−３１，ｐ．３８−３９
【発明の開示】
【発明が解決しようとする課題】
【０００４】
しかしながら、液晶表示装置については、一般に、その製造方法が複雑で低コスト化が難しいことや、装置の寿命が短いということが知られている。また、画像を表示する原理が非常に複雑で、その原理を小学生などの若年層が理解することは困難である。従って、その表示原理を小学校の授業等において学習することは適しておらず、液晶表示装置を教育用器材として使用することは適切ではない。
【０００５】
本発明は、上記事情に鑑みてなされたものであって、その目的は、装置の寿命が長く、製造方法も簡易でコストも低く抑えることが可能な画面表示装置を提供することにある。
さらに、本発明の目的は、画像を表示する原理を小学生などの若年層でも容易に理解でき、小学校等の教育用器材としても好適に使用することが可能な画面表示装置を提供することにある。
【課題を解決するための手段】
【０００６】
前記課題は、請求項１に記載の画面表示装置（１）によれば、板厚方向に磁界を透過可能な表示画面部材（１２）と、該表示画面部材（１２）の表示面側に移動自在に配設された複数の磁性金属小体（１５）と、前記表示画面部材（１２）の表示面と反対側に配設され、該表示画面部材（１２）の表示面に前記複数の磁性金属小体（１５）を吸着させるための磁界を形成する第一の状態と前記表示画面部材（１２）の表示面から磁界を消滅させる第二の状態とに切り替え可能な複数の磁界形成手段（２１）と、該複数の磁界形成手段（２１）を前記第一の状態と前記第二の状態とに順次切り替える制御手段（５０）と、を備えたこと、により解決される。
【０００７】
このように、本発明の画面表示装置（１）は、磁性金属小体（１５）と、この磁性金属小体（１５）を表示画面部材（１２）に吸着させる複数の磁界形成手段（２１）と、この複数の磁界形成手段（２１）を制御する制御手段（５０）を備えるという非常に簡易な構成であるので、液晶表示装置に比して、装置の製造コストを低く抑えることが可能である。また、本発明の画面表示装置（１）は、複数の磁界形成手段（２１）によって形成した磁界により表示画面部材（１２）に磁性金属小体（１５）を吸着させて画像表示を行う構成であって、液晶表示装置のように光源を必要としないので、装置の寿命も長くすることが可能である。さらに、本発明の画面表示装置（１）における画面表示原理は、複数の磁界形成手段（２１）によって形成した磁界によって表示画面部材（１２）に磁性金属小体（１５）を吸着させるという非常に簡単なものであるので、小学生などの若年層でも容易にその内容を理解することができる。従って、本発明の画面表示装置（１）は、小学校等の教育用器材として好適に使用することが可能である。
【０００８】
このとき、請求項２に記載のように、より好適には、表示画面部材（１２）の表示面は、内部に空間部（１１）を有する中空体（１０）内に形成され、複数の磁性金属小体（１５）は、空間部（１１）に移動自在に配設される。このように、表示画面部材（１２）の表示面が中空体（１０）内に形成され、この中空体（１０）の空間部（１１）に複数の磁性金属小体（１５）が配設される構成とすると、中空体（１０）の壁面により複数の磁性金属小体（１５）の飛散を防止できるので、表示画面部材（１２）上に画像・文字等を確実に表示することが可能となる。
【０００９】
また、請求項３に記載のように、空間部（１１）に、この空間部（１１）を複数の縦長状空間部（１１ａ）に区分けする仕切り壁（１４）が形成されていると、中空体（１０）の強度を向上させることができるので、中空体（１０）の変形や表示画面部材（１２）のたわみを防止することが可能となる。また、このように、仕切り壁（１４）によって空間部（１１）が複数の縦長状空間部（１１ａ）に区分けされていると、この仕切り壁（１４）によって磁性金属小体（１５）の横方向（Ｘ方向）への移動を規制することができるので、空間部（１１）における磁性金属小体（１５）の偏りを防止することが可能となる。
【００１０】
このとき、請求項４に記載のように、複数の磁性金属小体（１５）が複数の縦長状空間部（１１ａ）のそれぞれに均等に配設されていると、表示画面部材（１２）に吸着される磁性金属小体（１５）の量にばらつきが生じることを防止することができるので、画面表示をより鮮明且つ確実に行うことができ好適である。
【００１１】
また、請求項５に記載のように、空間部（１１）に粘性流体（１６）が封入されていると、空間部（１１）に空気を封入した場合に比して、磁性金属小体（１５）に作用する抵抗力、浮力を増大させることが可能となる。これにより、空間部（１１）における磁性金属小体（１５）の落下速度を低減させることができると共に、磁性金属小体（１５）の動作を緩やかなものとすることができるので、磁性金属小体（１５）をより確実に表示画面部材（１２）に吸着させることができ、より鮮明且つ確実な画面表示を行うことが可能となる。
【００１２】
なお、請求項６に記載のように、複数の磁性金属小体（１５）のそれぞれが砂鉄により構成されていると、本発明の画面表示装置（１）を小学生などの若年層にもより身近なものとすることが可能となる。
【００１３】
そして、請求項７に記載のように、本発明の画面表示装置（１）は、より好適には、複数の磁性金属小体（１５）を表示画面部材（１２）の一方側から他方側へ移動させる循環機構（３０）をさらに備える。このような構成にすると、例えば、本発明の画面表示装置（１）を縦置きにした場合には、重力によって表示画面部材（１２）の下部に降下した磁性金属小体（１５）を循環機構（３０）によって上昇させて表示画面部材（１２）の上部に移動させることができるので、これにより、画面表示を繰り返し行うことが可能となる。
【００１４】
また、請求項８に記載のように、より具体的には、複数の磁界形成手段（２１）のそれぞれは、表示画面部材（１２）と直交する方向に延設された支持ピン（２２）と、該支持ピン（２２）に進退動自在に支持された電磁石（２３）と、支持ピン（２２）の表示画面部材（１２）と反対側に配設され電磁石（２３）に対して吸引反発する磁界を形成するスライド用マグネット（２４）と、スライダ（２３）における表示画面部材（１２）側の端部に配設された画面表示用マグネット（２５）と、を備える構成である。このような構成にすると、磁界形成手段（２１）を非常に簡易な構成とすることができるので、装置の製造コストをより低減させることが可能となる。
【００１５】
なお、請求項９に記載のように、前記複数の磁界形成手段のそれぞれは、表示画面部材（１２）の表示面と反対側に配設された電磁石（２２３）により構成されていても良い。このように構成しても、磁界形成手段を非常に簡易な構成とすることができるので、装置の製造コストをより低減させることが可能となる。
【００１６】
そして、請求項１０に記載のように、制御手段（５０）は、より具体的には、外部制御装置（１００）から出力された画像生成情報を記憶する記憶部（５７）と、当該記憶部（５７）に記憶された画像生成情報に基づいて前記複数の磁界形成手段（２１）を制御する制御部（５６）と、を備える。このようにすると、外部制御装置（１００）から出力された画像生成情報に基づいて画面表示を行うことができるので、画像生成情報を順次更新することにより、多彩な画面表示を行うことが可能となる。
【００１７】
また、請求項１１に記載のように、本発明の画面表示装置（２０１）は、スピーカ（２５１）若しくは電飾部材（２５２）をさらに備え、制御手段（２５０）は、複数の磁界形成手段（２１）の動作に合わせてスピーカ（２５１）若しくは電飾部材（２５２）を制御するように構成される。このような構成によれば、表示画面部材（１２）に画像を表示すると共に、音や光の演出を加えることができ、より興趣に富んだ装置とすることが可能となる。
【発明を実施するための最良の形態】
【００１８】
以下、本発明の一実施形態について、図を参照して説明する。なお、以下に説明する部材、配置等は、本発明を限定するものではなく、本発明の趣旨に沿って各種改変することができることは勿論である。
図１乃至図１４は、本発明の一実施形態を示す図で、図１は画面表示装置を示す正面図、図２は図１のＡ−Ａ線断面図、図３は図１のＢ−Ｂ方向から見た矢視図、図４はスクリーンを図１のＣ−Ｃ線で切断した断面図、図５は画面表示装置の一部を切欠いて示した説明図、図６は磁界形成ソレノイドの構成を示す断面図、図７は磁界形成ソレノイドにより表示画面部材上に磁界が形成される様子を示す説明図、図８は図７に示す表示画面部材から磁界が消滅した様子を示す説明図、図９は循環用マグネットが降下した状態にある様子を示す説明図、図１０は図９に示す循環用マグネットが上昇した様子を示す説明図、図１１は図１０に示す循環用マグネットがスクリーンから遠ざかった様子を示す説明図、図１２は本実施形態に係る画面表示装置の電気的構成を示すブロック図、図１３は本実施形態に係る画面表示装置において画像が表示された例を示す図、図１４は本実施形態に係る画面表示装置において文字が表示された例を示す図である。
【００１９】
はじめに、図１乃至図１２を参照しながら、本発明の一実施形態に係る画面表示装置１の構成について説明する。
本発明の一実施形態に係る画面表示装置１は、従来に無い構成であり、表示画面部材１２の表示面側に磁性金属小体１５を移動自在に配置すると共に表示画面部材１２の裏側に複数の磁界形成ソレノイド２１を配設し、制御回路５０により磁界形成ソレノイド２１を順次作動させて表示画面部材１２上に磁界を形成し、これにより、表示画面部材１２上に磁性金属小体１５を吸着させて所定の画像・文字等を作り出すものである。
【００２０】
スクリーン１０は、図１乃至図３に示すように、画像・文字等を表示するためのものであり、空間部１１を有する中空直方体により構成されている。スクリーン１０全体は、アクリルやポリカーボネートなどの樹脂により構成されており、板厚方向に磁界を透過可能な構成となっている。このスクリーン１０を構成する壁面のうち、装置正面から見た奥行き側（Ｚ方向マイナス側）に位置する壁面は、表示画面部材１２として構成されている。表示画面部材１２の表示面（Ｚ方向プラス側の面）には、後述するように、磁界形成モジュール２０によって形成される磁界によって磁性金属小体１５が吸着され、この磁性金属小体１５により所定の画像や文字等が形成される。なお、図１乃至図３における例では、磁性金属小体１５により円形が形成されている。
【００２１】
スクリーン１０を構成する壁面のうち、装置手前側（Ｚ方向プラス側）に位置する壁面は、透明体からなるフロントパネル１３として構成されており、本例では、このフロントパネル１３を通じて外部から上記表示画面部材１２が視認可能となっている。表示画面部材１２の板厚は、後述する磁界形成モジュール２０によって形成される磁界を透過できるように、例えば、５ｍｍに設定されている。同様に、フロントパネル１３の板厚は、後述する循環用マグネット３９によって形成される磁界を透過できるように、例えば、５ｍｍに設定されている。
【００２２】
スクリーン１０の空間部１１には、図１に示すように、本装置の鉛直方向（Ｙ方向）に沿って延びる薄板状の仕切り壁１４が複数配設されている。この複数の仕切り壁１４は、Ｘ方向に沿って等間隔（例えば、１０ｍｍ間隔）に配設されており、この仕切り壁１４のそれぞれは、図３，図４に示すように、表示画面部材１２とフロントパネル１３を繋ぐように構成されている。この構成により、本例の空間部１１は複数の縦長状空間部１１ａに区分けされている。
【００２３】
このようにして区分けされた縦長状空間部１１ａのそれぞれには、図２に示すように、磁性金属小体１５が移動自在に配設されると共に粘性流体１６が封入されている。磁性金属小体１５は、磁界形成モジュール２０によって形成される磁界により表示画面部材１２の所定位置に吸着され、この表示画面部材１２上に所定の画像・文字等を形成する。本例では、本発明に係る磁性金属小体１５の一例として、粒径約０．１ｍｍ〜０．４ｍｍからなる砂鉄（Ｆｅ２Ｏ３）が用いられている。この磁性金属小体１５（以下、砂鉄１５と言う）は、複数の縦長状空間部１１ａのそれぞれに封入された粘性流体１６中に均等に含有されている。このように、磁性金属小体１５を複数の縦長状空間部１１ａのそれぞれに均等に配設することにより、表示画面部材１２に付着される砂鉄１５のばらつきを無くし、画面表示をより鮮明且つ確実に行うことが可能となる。なお、砂鉄１５には、防錆材等が塗布されていることが望ましい。
【００２４】
粘性流体１６は、スクリーン１０内を重力によって落下する砂鉄１５に対して摩擦力、浮力を作用させ、この砂鉄１５のスクリーン１０内における落下速度を抑えるためのものである。本例では、粘性流体１６の一例として、水（粘性係数＝１）が用いられている。このように、粘性流体１６に水を用いることにより、空気を封入した場合に比して、砂鉄１５に対し摩擦力、浮力をより多く作用させることができ、スクリーン１０内における砂鉄１５の動作をより緩やかなものとすることが可能である。なお、粘性流体１６は、無色に限らず、有色であっても良い。
【００２５】
ここで、本例におけるスクリーン１０では、上述のように、仕切り壁１４が表示画面部材１２とフロントパネル１３を繋ぐように形成されている。従って、この構成により表示画面部材１２およびフロントパネル１３における断面二次モーメントを増加することができるので、上述のように、複数の縦長状空間部１１ａのそれぞれに粘性流体１６が封入された状態でも、この粘性流体１６の水圧によるスクリーン１０のたわみを防止することが可能である。また、本例のスクリーン１０では、隣接する縦長状空間部１１ａ同士が仕切り壁１４によって区分けされているので、この仕切り壁１４によって磁性金属小体１５の横方向（Ｘ方向）への移動を規制することができ、空間部１１における磁性金属小体１５の偏りを防止することが可能である。
【００２６】
スクリーン１０の背面側（Ｚ方向マイナス側）には、図２，図３に示すように、表示画面部材１２上に砂鉄１５を吸着させて画面表示を行わせる磁界形成モジュール２０が配設されている。図５は画面表示装置１の正面図であり、磁界形成モジュール２０の説明を容易にするためにスクリーン１０の一部を切欠いて示した図である。図５に示すように、この磁界形成モジュール２０は、スクリーン１０のＸ−Ｙ方向に沿って縦横に配列された複数の磁界形成ソレノイド２１を有して構成されている。この複数の磁界形成ソレノイド２１のそれぞれは、表示画面部材１２上に砂鉄１５を吸着させるための磁界を形成するためのものであり、図６に示すように、支持ピン２２、スライダ２３、スライド用マグネット２４、画面表示用マグネット２５、固定基板２６を有して構成されている。
【００２７】
支持ピン２２は、スライダ２３を軸方向に沿って進退動自在に支持するためのものであり、基部２２ａと係止部２２ｂを有して構成されている。基部２２ａは、表示画面部材１２と直交する方向に延設されるように固定基板２６に固定されており、この基部２２ａには、後述する制御回路５０に電気的に接続された正側電極部２７ａ、負側電極部２７ｂが形成されている。係止部２２ｂは、基部２２ａの自由端に形成され、この基部２２ａよりも大きな径により構成されている。この係止部２２ｂは、スライダ２３がスクリーン１０側に移動したときに鉄心２３ａと当接してスライダ２３の移動を規制する。
【００２８】
スライダ２３は、支持ピン２２に対して軸方向に進退動自在な電磁石により構成されており、鉄心２３ａ、コイル２３ｂ、ヨーク２３ｃ、スリップ端子２３ｄ，２３ｅを有して構成されている。鉄心２３ａには、軸方向に孔部２９が貫通されており、この孔部２９には、支持ピン２２の基部２２ａが挿入されている。鉄心２３ａの周囲には、コイル２３ｂが巻回されており、コイル２３ｂの外側には、磁路を形成するヨーク２３ｃが配設されている。画面表示用マグネット２５は、表示画面部材１２上に砂鉄１５を吸着させて画面表示を行わせるための磁界を形成するためのもので、スライダ２３の表示画面部材１２側に配設されている（図７，図８参照）。
【００２９】
コイル２３ｂの一端は、陽極用のスリップ端子２３ｄに接続され、コイル２３ｂの他端は、陰極用のスリップ端子２３ｅに接続されている。スリップ端子２３ｄ，２３ｅは、不図示の弾性部材によりスライダ２３の径方向内側へ向けて付勢され、支持ピン２２に形成された正側電極部２７ａ、負側電極部２７ｂにそれぞれ押し付けられている。スライダ２３が進退動すると、スリップ端子２３ｄ，２３ｅが正側電極部２７ａ、負側電極部２７ｂに摺接されながら移動する。このとき、スリップ端子２３ｄ，２３ｅと正側電極部２７ａ，負側電極部２７ｂとの電気的接続が維持され、正側電極部２７ａ、コイル２３ｂ、負側電極部２７ｂの順に電流が流れる。
【００３０】
スライド用マグネット２４は、スライダ２３のコイル２３ｂによって形成される磁界に対して吸引・反発する磁界を形成し、スライダ２３をスライドさせるものである。このスライド用マグネット２４は、基部２２ａに支持された状態で固定基板２６に固設されている。スライド用マグネット２４の中央には、軸方向に貫通する孔部２８が形成されており、この孔部２８には、支持ピン２２の基部２２ａが挿入されている。スライド用マグネット２４は、半径方向に着磁されており、スライド用マグネット２４の半径方向内側はＮ極で半径方向外側はＳ極となっている。そして、本例のスライド用マグネット２４には、例えば、１５００ガウスの磁力を有するものが使用される。
【００３１】
このとき、本例のスライド用マグネット２４には、上述のように、磁力の強いものが使用されている。従って、電磁石からなるスライダ２３においては、強力な磁界を形成する必要がないので、スライダ２３におけるコイル２３ｂの巻き数は必要最小限となっている。また、このように、スライダ２３におけるコイル２３ｂの巻き数を必要最小限とすることにより、スライダ２３の磁力が弱められるので、隣り合うスライダ２３同士との間での磁力の相互干渉による影響も少なくすることができる。このようにして、隣り合うスライダ２３同士との間での磁力の相互干渉による影響を少なくすることにより、スライダ２３の誤作動を防止できるので、磁界形成モジュール２０における磁界形成ソレノイド２１の動作をより確実なものとすることが可能となる。
【００３２】
そして、本例では、コイル２３ｂに所定の電流が流れると、コイル２３ｂによって磁界が形成される。このとき、図７に示すように、コイル２３ｂの固定基板２６側にＮ極が出現すると、コイル２３ｂによって形成される磁界Ｍ１とスライド用マグネット２４によって形成される磁界Ｍ２とが反発し、これによって、スライダ２３が表示画面部材１２側にスライドする。そして、鉄心２３ａが係止部２２ｂに係止されることによってスライダ２３の移動が規制され、スライダ２３が最も表示画面部材１２側にスライドされた状態となる（本発明に係る第一の状態に相当する）。これにより、スライダ２３に配設された画面表示用マグネット２５が表示画面部材１２側に移動され、表示画面部材１２上に画面表示用マグネット２５による磁界Ｍが形成される。このようにして、表示画面部材１２上に磁界Ｍが形成されると、この磁界Ｍによって表示画面部材１２上に砂鉄１５が吸着される。
【００３３】
一方、コイル２３ｂの電流の向きを変えることによってコイル２３ｂの基板側にＳ極が出現すると、コイル２３ｂによって形成される磁界Ｍ３とスライド用マグネット２４によって形成される磁界Ｍ２とが吸引し、図８に示すように、これによって、スライダ２３が固定基板２６側にスライドする。そして、ヨーク２３ｃが基板に当接されることによってスライダ２３の移動が規制され、スライダ２３が最も固定基板２６側にスライドされた状態となる（本発明に係る第二の状態に相当）。この状態では、スライダ２３に配設された画面表示用マグネット２５が表示画面部材１２から遠ざかるので、表示画面部材１２上から画面表示用マグネット２５による磁界Ｍが消滅する。このようにして表示画面部材１２上から磁界Ｍが消滅すると、表示画面部材１２に吸着されていた砂鉄１５が重力によって落下する。
【００３４】
上記要領で複数の磁界形成ソレノイド２１のうち、特定の磁界形成ソレノイド２１を作動させて表示画面部材１２側に移動させることにより、表示画面部材１２上の所定領域に磁界を形成することができる。そして、この磁界によって砂鉄１５を表示画面部材１２上に吸着させることにより、この砂鉄１５によって表示画面部材１２上に所定の画像・文字等を形成することができる。なお、磁界形成ソレノイド２１の配列数は、図示した例に限定されるものではなく、スクリーン１０の大きさ等に応じて種々改変することができることは勿論である。例えば、磁界形成ソレノイド２１の配列数を、６４個×６４個など種々設定することが可能である。また、磁界形成ソレノイド２１を微小に構成することにより、例えば、画面表示装置１を１５インチサイズとし、この画面表示装置１に１０２４×７６８個の磁界形成ソレノイド２１を搭載することも可能である。
【００３５】
なお、上記磁界形成ソレノイド２１では、スライド用マグネット２４の半径方向内側はＮ極で半径方向外側はＳ極となっていたが、その他にも種々改変することができることは勿論である。例えば、スライド用マグネット２４の半径方向内側はＳ極で半径方向外側はＮ極であっても良い。また、スライド用マグネット２４は孔部２８を有する環状に形成されていたが、その他にも、例えば、円板状に形成するなど種々改変することが可能である。
【００３６】
スクリーン１０の手前側（Ｚ方向プラス側）には、図２に示すように、重力によってスクリーン１０の下部に堆積した砂鉄１５を再びスクリーン１０の上部に移動させる循環機構３０が配設されている。循環機構３０は、図１乃至図３に示すように、モータ３１を有して構成されており、このモータ３１の回転軸には、はすばかさ歯車３１ａが配設されている。スクリーン１０の両端側には、鉛直方向（Ｙ方向）に沿って延びるボールネジ３２，３３が配設されており、ボールネジ３２，３３の下部には、はすばかさ歯車３２ａ，３３ａがそれぞれ配設されている。
【００３７】
ボールネジ３２とボールネジ３３との間には、シャフト支持部３４ａ，３４ｂによって回転自在に軸支されたシャフト３５が配設されており、このシャフト３５の両端には、はすばかさ歯車３５ａ，３５ｂが配設されている。ボールネジ３２のはすばかさ歯車３２ａには、モータ３１の回転軸に配設されたはすばかさ歯車３１ａと、シャフト３５の一端に配設されたはすばかさ歯車３５ａが歯合されており、ボールネジ３３のはすばかさ歯車３３ａには、シャフト３５の他端に配設されたはすばかさ歯車３５ｂが歯合されている。
【００３８】
ボールネジ３２，３３には、スライドナット３６，３７がそれぞれ螺合されており、スライドナット３６とスライドナット３７とは、連結棒３８により連結されている。連結棒３８のスクリーン１０側（Ｚ方向マイナス側）には、スクリーン１０のＸ方向における寸法とほぼ同一寸法からなる循環用マグネット３９が配設されている。この循環用マグネット３９は、図２に示すように、重力によってスクリーン１０の下部に堆積した砂鉄１５を再びスクリーン１０の上部に移動させるための磁界を形成するものである。
【００３９】
そして、上記構成からなる循環機構３０において、モータ３１の回転に伴ってはすばかさ歯車３１ａが回転すると、このはすばかさ歯車３１ａに歯合されたはすばかさ歯車３２ａが回転しボールネジ３２が回転する。また、はすばかさ歯車３１ａの回転に伴って、このはすばかさ歯車３１ａに歯合されたはすばかさ歯車３５ａが回転し、このはすばかさ歯車３５ａと共にシャフト３５およびはすばかさ歯車３５ｂが回転する。はすばかさ歯車３５ｂが回転すると、このはすばかさ歯車３５ｂに歯合されたはすばかさ歯車３３ａが回転し、ボールネジ３３が回転する。このようにして、ボールネジ３２，３３が所定の方向に回転すると、このボールネジ３２，３３に螺合されたスライドナット３６，３７が上昇又は降下する。
【００４０】
循環機構３０のモータ支持部３１ｂ、ボールネジ３２，３３、シャフト支持部３４ａ，３４ｂは、土台４２に形成された複数の溝部４３ａ，４３ｂ，４３ｃ，４３ｄ，４３ｅに移動自在に係合されており、これにより、循環機構３０は、装置の奥行き方向（Ｚ方向）に沿って進退動自在となっている。本例の画面表示装置１には、アクチュエータ６０（図１２参照）が備えられており、本例では、このアクチュエータ６０によって循環機構３０が装置の奥行き方向（Ｚ方向）に沿って自動的に進退動する構成となっている。
【００４１】
そして、図９に示すように、循環用マグネット３９が最下部に位置した状態で、循環機構３０がスクリーン１０に近づくと、スクリーン１０内に循環用マグネット３９による磁界が形成され、スクリーン１０の下部に堆積した砂鉄１５を吸着することができる。このようにして、スクリーン１０の下部に堆積した砂鉄１５を吸着した状態で、図１０に示すように、循環用マグネット３９をスクリーン１０の上部に移動させると、循環用マグネット３９による磁界の移動に伴って砂鉄１５がスクリーン１０上部にまで移動される。この状態から、図１１に示すように、循環機構３０をスクリーン１０から遠ざけると、循環用マグネット３９による磁界がスクリーン１０から消滅し、砂鉄１５がスクリーン１０内を落下する。
【００４２】
筐体４０は、図１，図２に示すように、開口部４１ａを有する箱状の筐体本体４１と、土台４２を有して構成されている。筐体本体の開口部４１ａには、当該開口部４１ａを塞ぐようにスクリーン１０が配置されており、筐体本体４１の空間部１１には、上記磁界形成モジュール２０の他に、制御回路５０およびバッテリ５５（以上、図３参照）が配置されている。なお、筐体４０の所定位置には、電源スイッチ５１、ＵＳＢポート５２、赤外線ポート５３、Ｂｌｕｅｔｏｏｔｈ（登録商標）ポートからなる入力ポート５４（以上、図１２参照）等が配設されている。土台４２には、上述のように、装置の奥行き方向（Ｚ方向）に沿って、複数の溝部４３ａ，４３ｂ，４３ｃ，４３ｄ，４３ｅが形成されており、この溝部４３ａ，４３ｂ，４３ｃ，４３ｄ，４３ｅには、モータ支持部３１ｂ、ボールネジ３２，３３、シャフト支持部３４ａ，３４ｂが移動自在にそれぞれ係合されている。
【００４３】
制御回路５０は、本装置の動作を司るものであり、例えば、マイクロコンピュータ５６やメモリ５７等を有して構成されている。制御回路５０の入力部には、電源スイッチ５１、ＵＳＢポート５２、赤外線ポート５３、入力ポート５４、バッテリ５５が接続されており、制御回路５０の出力部には、磁界形成モジュール２０のコイル２３（コイル２３ｂ−１乃至２４ｂ−ｎ）、循環機構３０のモータ３１、アクチュエータ６０が接続されている。電源スイッチ５１を操作すると、バッテリ５５から制御回路５０に電力が供給され、制御回路５０が起動する。コイル２３（コイル２３ｂ−１乃至２４ｂ−ｎ）、モータ３１、アクチュエータ６０には、制御回路５０を介してバッテリ５５から所定の電流が供給される。
【００４４】
パーソナルコンピュータ等からなる外部制御装置１００から出力された画像生成情報（例えば、所定のプログラムなど）は、ＵＳＢポート５２、赤外線ポート５３、入力ポート５４のいずれかを介して制御回路５０に入力され、制御回路５０にて処理される。制御回路５０は、上記画像生成情報に基づき、磁界形成ソレノイド２１のコイル２３（コイル２３ｂ−１乃至２４ｂ−ｎ）に電流を供給すると共に、循環機構３０のモータ３１、アクチュエータ６０に所定の電力を供給する。
【００４５】
なお、外部制御装置１００には、スキャナ１０１が接続されており、このスキャナ１０１によって取り込まれた画像・文字等は、外部制御装置１００に出力される。そして、外部制御装置１００は、スキャナ１０１から出力された画像情報を基に上記画像生成情報を作成し、制御回路５０に出力する。
【００４６】
次に、図１乃至図１４を参照しながら、本発明の一実施形態に係る画面表示装置１の動作について説明する。
まず、本発明の一実施形態に係る画面表示装置１を動作させるには、電源スイッチ５１を操作して電源を投入する。これにより、バッテリ５５から制御回路５０へ電力が供給され、制御回路５０が起動する。このようにして、制御回路５０が起動した状態で、外部制御装置１００から画面表示装置１へ画像生成情報（例えば、所定のプログラム）が送信されると、この画像生成情報がＵＳＢポート５２、赤外線ポート５３、入力ポート５４のいずれかより入力され制御回路５０において処理される。
【００４７】
制御回路５０は、上記画像生成情報に基づき、図９に示すように、モータ３１を回転させて循環用マグネット３９を最下部に移動させると共に、アクチュエータ６０を駆動させて循環機構３０をスクリーン１０に近づける。これにより、スクリーン１０内に循環用マグネット３９による磁界が形成され、スクリーン１０の下部に堆積した砂鉄１５が循環用マグネット３９側へ吸い寄せられる。
【００４８】
続いて、制御回路５０は、上記画像生成情報に基づき、図１０に示すように、モータ３１を回転させて、循環用マグネット３９をスクリーン１０の上部に移動させる。このようにして、循環用マグネット３９が移動されると、循環用マグネット３９によって形成される磁界が移動し、これに伴って、スクリーン１０の下部に堆積した砂鉄１５がスクリーン１０の上部に移動される。
【００４９】
そして、循環用マグネット３９がスクリーン１０の上部に移動した後、制御回路５０によってアクチュエータ６０が駆動され、図１１に示すように、循環機構３０がスクリーン１０から遠ざけられる。これにより、循環用マグネット３９による磁界がスクリーン１０から消滅し、砂鉄１５がスクリーン１０の上部から落下する。
【００５０】
このとき、上述のように、本例に係るスクリーン１０の縦長状空間部１１ａのそれぞれには、粘性流体１６が封入されている。従って、上記のようにして、砂鉄１５をスクリーン１０の上部から落下させると、この砂鉄１５に対して粘性流体１６の摩擦力、浮力が作用し、これによって、砂鉄１５のスクリーン１０内における落下速度が抑えられると共に砂鉄１５の動作が緩やかなものとされる。これにより、スクリーン１０の上部にて開放された砂鉄１５が一気にスクリーン１０の下部に落下してしまうことを防止することができる。
【００５１】
また、本例に係るスクリーン１０の空間部１１は、仕切り壁１４によって区分けされているので、上述のように、砂鉄１５がスクリーン１０内を落下する際においても、この仕切り壁１４によって砂鉄１５の横方向（Ｘ方向）への移動が規制される。これにより、砂鉄１５がスクリーン１０内の一部に偏ってしまうという不具合を防止することができる。
【００５２】
そして、上述のようにして、砂鉄１５をスクリーン１０の上部から落下させると同時に、制御回路５０は、次回の画面表示に備えるため、モータ３１を駆動させて循環用マグネット３９を最下部にまで降下させる。さらに、これと同時に、制御回路５０は、磁界形成モジュール２０に配設された磁界形成ソレノイド２１のうち、特定の磁界形成ソレノイド２１を作動させる。
【００５３】
このようにして、特定の磁界形成ソレノイド２１が作動すると、表示画面部材１２上の所定領域に磁界が形成される。そして、この磁界によって砂鉄１５が表示画面部材１２（図２，図７参照）上に吸着され、スクリーン１０に所定の画像・文字等が表示される。ここで、図１３は、スクリーン１０に画像が表示された例を示す図である。図１３に示すように、スクリーン１０には、童話のワンシーンのように、「山」、「太陽」などの画像が表示されている。このとき、「山」、「太陽」などの線画は、図１３中の要部拡大図Ｄ１に示すように、砂鉄１５により構成されている。また、この砂鉄１５は、複数の磁界形成ソレノイド２１のうち、作動状態にある磁界形成ソレノイド２１によって表示画面部材１２（図２，図７参照）上に吸着されたものである。
【００５４】
そして、上述のようにして、画面表示を所定時間行った後、制御回路５０によって磁界形成ソレノイド２１の動作が停止される（図８参照）。これにより、磁界形成ソレノイド２１によって形成された磁界がスクリーン１０内から消滅し、砂鉄１５が重力によってスクリーン１０内を落下してスクリーン１０の下部に堆積する。続いて、制御回路５０によってアクチュエータ６０が駆動され、循環機構３０がスクリーン１０に近づけられる。これにより、スクリーン１０内に循環用マグネット３９による磁界が形成され、スクリーン１０の下部に堆積した砂鉄１５が循環用マグネット３９側へ再び吸い寄せられる。
【００５５】
この状態から、再び上記要領にて循環用マグネット３９をスクリーン１０の上部にまで上昇させると、循環用マグネット３９の移動に伴って砂鉄１５がスクリーン１０の上部に移動される。そして、再び制御回路５０によってアクチュエータ６０が駆動され、図１１に示すように、循環機構３０がスクリーン１０から遠ざけられると、循環用マグネット３９による磁界がスクリーン１０から消滅し、砂鉄１５がスクリーン１０の上部から落下する。これと同時に、制御回路５０によって特定の磁界形成ソレノイド２１を作動させると、表示画面部材１２上の所定領域に磁界が形成される。
【００５６】
そして、この磁界によって砂鉄１５が表示画面部材１２（図２，図７参照）上に吸着され、スクリーン１０に所定の画像・文字等が表示される。ここで、図１４は、スクリーン１０に文字が表示された例を示す図である。図１４に示すように、スクリーン１０には、「武蔵工業大学」、「砂しばい」などの文字が表示されている。このとき、「武蔵工業大学」、「砂しばい」などの線画は、図１４中の要部拡大図Ｄ２に示すように、砂鉄１５により構成されている。また、この砂鉄１５は、複数の磁界形成ソレノイド２１のうち、作動状態にある磁界形成ソレノイド２１によって表示画面部材１２（図２，図７参照）上に吸着されたものである。
【００５７】
以後、上記要領にて、循環機構３０によって砂鉄１５を循環させる動作と、磁界形成モジュール２０によって画像・文字等を表示させる動作を繰り返し行うことにより、スクリーン１０に画像や文字等を次々と表示させることができる。このとき、本発明の一実施形態に係る画面表示装置１では、例えば、スクリーン１０に童話や昔話などの画像を順次表示させることが可能である。これにより、砂鉄１５によって画像や文字等が順次形成される様子を、まるで紙しばいにおいて紙が順次めくられるかの如く楽しみながら観賞することが可能となる。
【００５８】
なお、本発明の一実施形態に係る画面表示装置１は、上述のように、砂鉄１５によって童話や昔話などの画像を順次表示させることができるので、発明者等によって、紙しばいならぬ「砂しばい」と名付けられたものである。そして、本発明の一実施形態に係る画面表示装置１は、すでに説明した通り、電磁石と砂鉄を用いた非常に簡易な構成であり、これらの構成は小学生などの若年層にも理解可能である。従って、本発明の一実施形態に係る画面表示装置１は、例えば、小学校の理科の授業における教育用器材として好適に使用することが可能である。このようにして、若年時から本発明の一実施形態に係る画面表示装置１に触れることにより、若年層に対して工学技術分野に興味を抱かせることができ、近年問題視されている理科系離れにも歯止めをかけることが期待される。
【００５９】
上記したように、本実施形態によれば、以下の効果を奏する。
（ａ）本発明の一実施形態に係る画面表示装置１によれば、砂鉄１５と、この砂鉄１５１５を表示画面部材１２に吸着させる複数の磁界形成ソレノイド２１と、この複数の磁界形成ソレノイド２１を制御する制御回路５０を備えるという非常に簡易な構成であるので、液晶表示装置に比して、装置の製造コストを低く抑えることが可能である。
【００６０】
（ｂ）本発明の一実施形態に係る画面表示装置１によれば、複数の磁界形成ソレノイド２１によって形成した磁界により表示画面部材１２に砂鉄１５を吸着させて画像表示を行う構成であって、液晶表示装置のように光源を必要としないので、装置の寿命も長くすることが可能である。また、その消費電力も、液晶表示装置に比して、低く抑えることが可能である。また、液晶表示装置のように光源を必要としないので、目の疲労も低減することが可能である。
【００６１】
（ｃ）本発明の一実施形態に係る画面表示装置１によれば、複数の磁界形成ソレノイド２１によって形成した磁界によって表示画面部材１２に砂鉄１５を吸着させて画像・文字等を表示するという非常に簡単な画面表示原理を採用しているので、小学生などの若年層でも容易にその内容を理解することが可能である。従って、本発明の一実施形態に係る画面表示装置１は、小学校等の教育用器材として好適に使用することが可能である。
【００６２】
（ｄ）本発明の一実施形態に係る画面表示装置１によれば、表示画面部材１２の表示面が中空直方体からなるスクリーン１０内に形成され、このスクリーン１０の空間部１１に複数の砂鉄１５が配設される構成であるので、スクリーン１０の壁面により砂鉄１５の飛散を防止することができ、これにより、表示画面部材１２上に画像・文字等を確実に表示することが可能となる。
【００６３】
（ｅ）本発明の一実施形態に係る画面表示装置１によれば、スクリーン１０の空間部１１に、この空間部１１を複数の縦長状空間部１１ａに区分けする仕切り壁１４が形成されているので、スクリーン１０の強度を向上させることができる。これにより、スクリーン１０の変形や表示画面部材１２のたわみを防止することが可能となる。また、上述のように、仕切り壁１４によって空間部１１が複数の縦長状空間部１１ａに区分けされているので、この仕切り壁１４によって砂鉄１５の横方向（Ｘ方向）への移動を規制することができ、空間部１１における砂鉄１５の偏りを防止することが可能となる。
【００６４】
（ｆ）本発明の一実施形態に係る画面表示装置１によれば、砂鉄１５が複数の縦長状空間部１１ａのそれぞれに均等に配設されているので、表示画面部材１２に吸着される砂鉄１５の量にばらつきが生じることを防止することができ、これにより、画面表示をより鮮明且つ確実に行うことが可能となる。
【００６５】
（ｇ）本発明の一実施形態に係る画面表示装置１によれば、スクリーン１０の空間部１１に粘性流体１６が封入されているので、空間部１１に空気を封入した場合に比して、砂鉄１５に作用する抵抗力、浮力を増大させることが可能となる。これにより、空間部１１における砂鉄１５の落下速度を低減させることが可能となると共に、砂鉄１５の動作を緩やかなものとすることが可能となるので、砂鉄１５をより確実に表示画面部材１２に吸着させることができ、より鮮明且つ確実な画面表示を行うことが可能となる。
【００６６】
（ｈ）本発明の一実施形態に係る画面表示装置１によれば、複数の磁性金属小体１５のそれぞれが砂鉄により構成されているので、画面表示装置１を小学生などの若年層にもより身近なものとすることが可能となる。
【００６７】
（ｉ）本発明の一実施形態に係る画面表示装置１によれば、砂鉄１５を表示画面部材１２の一方側から他方側へ移動させる循環機構３０備えているので、重力によって表示画面部材１２の下部に降下した砂鉄１５を上昇させて表示画面部材１２の上部に移動させることが可能である。これにより、画面表示を繰り返し行うことが可能となり、例えば、従来の紙しばいのように、次々と画面を更新することが可能となる。
【００６８】
（ｊ）本発明の一実施形態に係る画面表示装置１によれば、複数の磁界形成ソレノイド２１のそれぞれは、表示画面部材１２と直交する方向に進退動自在な電磁石からなるスライダ２３と、このスライダ２３を進退動自在に支持する支持ピン２２と、スライダ２３に対して吸引反発する磁界を形成するスライド用マグネット２４と、スライダ２３における表示画面部材側の端部に配設された画面表示用マグネット２５を備える構成である。これにより、磁界を形成する手段を非常に簡易な構成とすることができるので、装置の製造コストをより低減させることが可能となる。
【００６９】
（ｋ）本発明の一実施形態に係る画面表示装置１によれば、外部制御装置１００から出力された画像生成情報に基づいて画面表示が行うことが可能であるので、画像生成情報を順次更新することにより、多彩な画面表示を行うことが可能となる。
【００７０】
なお、本発明の実施の形態は、以下のように改変することができる。
（１）上記実施形態では、砂鉄１５により単に画像を形成する構成であったが、本発明はこれに限定されるものではない。その他にも、図１５に示す本実施形態の改変例に係る画面表示装置２０１のように、制御回路２５０にスピーカ２５１やＬＥＤ２５２を接続しても良い。このとき、制御回路２５０は、複数の磁界形成ソレノイド２１の動作に合わせてスピーカ２５１やＬＥＤ２５２を制御するように構成される。このような構成によれば、表示画面部材１２に画像を表示すると共に、音や光の演出を加えることができ、より興趣に富んだ装置とすることが可能となる。
【００７１】
（２）上記実施形態では、本発明に係る磁界形成手段が磁界形成ソレノイド２１によって構成されていたが、本発明はこれに限定されるものではない。その他にも、図１６に示すように、磁界形成手段は、鉄心２２３ａと、コイル２２３ｂと、ヨーク２２３ｃからなる電磁石２２３により構成されていても良い。
【００７２】
（３）上記実施形態では、循環用マグネット３９をスライド機構によりスライドさせる循環機構３０が備えられていたが、本発明はこれに限定されるものではない。その他にも、スクリーン１０にポンプ等を接続し、このポンプ等によって粘性流体１６を吐出もしくは吸入することにより砂鉄１５が循環される構成であっても良い。また、スクリーン１０をＺ軸周りに回転させることにより、砂鉄１５が循環される構成であっても良い。
【００７３】
（４）また、上記実施形態では、循環機構３０にボールネジとスライドナットからなるスライド機構が用いられていたが、本発明はこれに限定されるものではない。その他にも、歯車・ベルト機構や、ラック・アンド・ピニオンでも良い。さらに、ベルトコンベアによってスクリーン１０の裏側を通過させるようにして砂鉄１５を循環させても良い。なお、装置を横臥させた場合には、上記循環機構３０は、必ずしも必要な構成ではない。この場合、人の手によって画面表示装置１を傾けて砂鉄１５を移動させても良い。
【００７４】
（５）上記実施形態では、磁性金属小体１５に砂鉄が用いられていたが、本発明はこれに限定されるものではない。その他にも、磁性金属小体１５は、星型やハート型の金属小片でも良く、人気キャラクタの形状をしたものでも良い。また、磁性金属小体１５は、平面状に限らず、球状や三角錐状、コンペイ糖のような形状でも良い。また、これら磁性金属小体１５に蛍光塗料を塗布しても良い。
【００７５】
（６）上記実施形態において、表示画面部材１２に背景画や有機ＥＬ等を配設しても良い。また、表示画面部材１２に電飾等を施しても良い。さらに、表示画面部材１２を透明体により形成し、スクリーン１０と磁界形成モジュール２０との間に背景画などを抜き差しすることができる構成であっても良い。
【００７６】
（７）上記実施形態では、粘性流体１６として、水が使用されていたが、本発明はこれに限定されるものではない。その他にも、サラダ油（粘性係数＝４．９）が用いられても良い。なお、粘性流体１６は、水やサラダ油に限らず、砂鉄１５を動作させたい速度に応じて種々選択することが可能である。
【００７７】
（８）上記実施形態では、表示画面部材１２がスクリーン１０の一部を構成していたが、本発明はこれに限定されるものではない。その他にも、表示画面部材１２は、スクリーン１０と別体により構成され、スクリーン１０の内部に配置されても良い。
【００７８】
（９）上記実施形態では、スクリーン１０が中空の直方体により形成されていたが、本発明はこれに限定されるものではない。その他にも、スクリーン１０は、中空の球体や曲面を有する中空体により構成されても良い。
【産業上の利用可能性】
【００７９】
本発明の画面表示装置１は、情報伝達手段やモニュメント等にも好適に使用することが可能である。
【図面の簡単な説明】
【００８０】
【図１】本実施形態に係る画面表示装置を示す正面図である。
【図２】図１のＡ−Ａ線断面図である。
【図３】図１のＢ−Ｂ方向から見た矢視図である。
【図４】本実施形態のスクリーンを図１のＣ−Ｃ線で切断した断面図である。
【図５】本実施形態に係る画面表示装置の一部を切欠いて示した説明図である。
【図６】本実施形態に係る磁界形成ソレノイドの構成を示す断面図である。
【図７】本実施形態に係る磁界形成ソレノイドにより表示画面部材上に磁界が形成される様子を示す説明図である。
【図８】図７に示す表示画面部材から磁界が消滅した様子を示す説明図である。
【図９】本実施形態に係る循環用マグネットが降下した状態にある様子を示す説明図である。
【図１０】図９に示す循環用マグネットが上昇した様子を示す説明図である。
【図１１】図１０に示す循環用マグネットがスクリーンから遠ざかった様子を示す説明図である。
【図１２】本実施形態に係る画面表示装置の電気的構成を示すブロック図である。
【図１３】本実施形態に係る画面表示装置において画像が表示された例を示す図である。
【図１４】本実施形態に係る画面表示装置において文字が表示された例を示す図である。
【図１５】改変例に係る画面表示装置の電気的構成を示すブロック図である。
【図１６】改変例に係る電磁石の構成を示す側面断面図である。
【符号の説明】
【００８１】
１      画面表示装置
１０    スクリーン
１１    空間部
１１ａ  縦長状空間部
１２    表示画面部材
１３    フロントパネル
１４    仕切り壁
１５    磁性金属小体（砂鉄）
１６    粘性流体
２０    磁界形成モジュール
２１    磁界形成ソレノイド
２２    支持ピン
２３    スライダ
２４    スライド用マグネット
２５    画面表示用マグネット
３０    循環機構
３９    循環用マグネット
５０    制御回路
【図１】
2005227349.tif 000003
【図２】
2005227349.tif 000004
【図３】
2005227349.tif 000005
【図４】
2005227349.tif 000006
【図５】
2005227349.tif 000007
【図６】
2005227349.tif 000008
【図７】
2005227349.tif 000009
【図８】
2005227349.tif 000010
【図９】
2005227349.tif 000011
【図１０】
2005227349.tif 000012
【図１１】
2005227349.tif 000013
【図１２】
2005227349.tif 000014
【図１３】
2005227349.tif 000015
【図１４】
2005227349.tif 000016
【図１５】
2005227349.tif 000017
【図１６】
2005227349.tif 000018